(57)【要約】【課題】リアルタイム性の監視構成を維持しつつ、同時にプラント運転サイクル間長期的な傾向監視が可能なプラント監視システムを得る。【解決手段】プロセス値を入力するプラント制御装置１−１と、プロセス値の入力処理を実施するプロセス信号入力部１−３と、プロセス値を用いて計算処理、警報処理を実施するプラント監視部１−４と、表示装置部１−７に画面表示要求を実施する画面表示部１−５と、ユーザの操作を入力する座標入力装置部１−６と、プラントデータを長期間蓄積するプラントデータ蓄積部１−８とから構成する。【選択図】図１
2007233567.tif 000002
【特許請求の範囲】
【請求項１】
プロセス値を入力するプラント制御装置と、プロセス値の入力処理を実施するプロセス信号入力部、プロセス値を用いて計算処理、警報処理を実施するプラント監視部と、表示装置部に画面表示要求を実施する画面表示部と、ユーザの操作を入力する座標入力装置部と、プラントデータを蓄積するプラントデータ蓄積部とからなることを特徴とするプラント監視システム。
【請求項２】
蓄積されたデータを処理し、アクセス管理するプラントデータ蓄積装置部と、プラントデータ蓄積装置部とのアクセス管理、表示、帳票出力操作するためのデータ管理装置部と、データ管理入出力装置部とを有することを特徴とする請求項１記載のプラント監視システム。
【請求項３】
想定外のイベント／警報が発生した場合に関連プロセス情報と共にメール文書を作成・送信処理を実施するプラントデータ蓄積部と、送信したメールを蓄積し、受信対象ユーザに転送するメール蓄積・転送装置部と、メールを受信する外部端末とを有することを特徴とする請求項１記載のプラント監視システム。
【請求項４】
プラントバスから入力されるデータ以外に現場機器に接続され、プロセス値を処理する現場中継装置と、画像情報を処理する画像処理装置と、音声情報を処理する音声処理装置と、それらの現場の詳細データを、現場機器バスを介して入力、蓄積処理するプラントデータ蓄積部とを有することを特徴とする請求項１記載のプラント監視システム。
【請求項５】
公に公開するためのデータ公開表示装置部と、データ公開するデータ項目を選定、変更、追加するためのデータ管理装置部と、公開データを作成支援するプラントデータ蓄積部とを有することを特徴とする請求項１記載のプラント監視システム。
【発明の詳細な説明】
【技術分野】
【０００１】
本発明は、原子力発電プラントなどのようなプラントの状態を多系統に亘って監視するプラント監視システムに関する。
【背景技術】
【０００２】
原子力発電所のようなプラントでは、そのプラントを構成する多くのプラント機器を監視するためにプラント監視システムが採用されている。  
このプラント監視システムにおいてはプロセスデータを用い、このプロセスデータは、リアルタイム監視に使用するため、短期間のデータを収集、表示することでプラント監視を可能としている。
【０００３】
図２２は、従来のプラント監視システムの概略構成を示す機能ブロック図である。  
図２２において、プラント監視システムは、プラント制御装置６−１からのプロセス信号Ｓ１をプラントバス６−２を通してプロセス信号入力部６−３で受け、さらにこのプロセス信号入力部６−３からプロセス信号Ｓ１をプラント監視部６−４に入力し、プラント監視部６−４で計算処理、警報処理を実施した後、画面表示部６−５に送られ、表示装置部６−７でプロセスデータを表示処理される。  
ユーザからの画面表示要求は、座標入力装置部６−６から入力される。
【０００４】
次にプロセス信号入力部６−３及びプラント監視部６−４の処理機能を図２３の機能ブロック図を参照して説明する。  
プロセス信号入力部６−３はプラントバス６−２からのプロセス信号が入力されると、プロセス信号入力処理６２１でプラント監視部６−４の入力点データベース６２５にプロセス値を格納する。
【０００５】
入力点データベース６２５は、プロセス信号番号とプロセス値から構成される。  
プラント監視部６−４では入力点データベース６２５から抽出したプロセス値を用いて計算処理６２２を実施する。
【０００６】
また、警報判定処理６２３では入力点データベース６２５からのプロセス信号、または計算処理６２２からの信号を用いて警報判定処理を実施する。  
その結果の画面表示データＳ２は画面表示要求処理６２４にて画面表示部６−５へ送信される。
【０００７】
画面表示部６−５の処理機能を図２４の機能ブロック図に示す。オペレータは座標入力装置部６−６から監視に必要な画面を要求し、座標入力処理６３１は要求内容から座標入力位置を判定し、画面表示処理６３２に入力する。
【０００８】
画面表示処理６３２では、画面番号を判定し、その画面番号をプラント監視部６−４に入力し、画面情報を要求する。  
プラント監視部６−４から各種の画面情報Ｓ３及び入力点データベースから抽出した関連プロセス信号を入力し、表示装置部６−７へ図２５に示すようなプラント監視画面を表示要求する。（例えば特許文献１参照）
【特許文献１】特開２００２−２０８２１２号公報
【発明の開示】
【発明が解決しようとする課題】
【０００９】
しかしながらこのようなプラント監視システムであると、プラントのリアルタイム性の監視は向上しているが、原子力プラントのように1サイクルの運転が1年となるプラントでは、前サイクル運転時のプロセスデータとの比較は、他のデータ装置上で実施または、手記録との比較を実施している。
【００１０】
また、運転中の傾向監視は1日程度のデータをトレンドグラフ等で監視しており、リアルタイム監視とプラント運転サイクル間の長期的傾向を同時に監視できないという課題があった。  
そこで本発明では、リアルタイム性の監視構成を維持しつつ、同時にプラント運転サイクル間の長期的な傾向監視が可能なプラント監視システムを提供することを目的とする。
【課題を解決するための手段】
【００１１】
以上の目的を達成するために本発明のプラント監視システムは、プロセス値を入力するプラント制御装置と、プロセス値の入力処理を実施するプロセス信号入力部、プロセス値を用いて計算処理、警報処理を実施するプラント監視部と、表示装置部に画面表示要求を実施する画面表示部と、ユーザの操作を入力する座標入力装置部と、プラントデータを蓄積するプラントデータ蓄積部とからなることを特徴とする。
【発明の効果】
【００１２】
本発明のプラント監視装置によれば、リアルタイム性の監視構成を維持しつつ、同時にプラント運転サイクル間の長期的な傾向監視が可能となる。
【発明を実施するための最良の形態】
【００１３】
以下、本発明に係るプラント監視システムの実施の形態について図面を参照して説明する。  
図１は本発明の第1の実施の形態によるプラント監視システムの機能を説明する機能ブロック図である。図１において、１−１はプラント制御装置で、このラント制御装置１−１からプラントバス１−２を介して、プロセス信号Ｓ１が入力されるプロセス信号入力部１−３と、そのプロセス信号Ｓ１を用いて計算処理及び警報処理を実施するプラント監視部１−４と、そのプラント状態を表示要求するための画面表示部１−５と、プラント監視画面を表示するための表示装置部１−７と、画面選択を要求する座標入力装置部１−６と、プラントデータ蓄積部１−８とから構成される。
【００１４】
このように構成された本実施の形態によるプラント監視システムにおいて、プラントを構成する機器からのプロセス信号Ｓ１はプラントバス１−２を経由して、プロセス信号入力部１−３で処理され、プラント監視部１−４とプラントデータ蓄積部１−８に入力する。
【００１５】
プラントデータ蓄積部１−８は、プロセス信号入力部１−３から入力するデータを、定周期にプラント運転サイクル１回以上蓄積する。  
プラント監視部１−４はプロセス信号入力部１−３から入力する複数のデータを元に計算処理を実施し、プロセスデータ及びその計算結果を制限値と比較して警報判定を実施する。
【００１６】
また、画面表示部１−５は、座標入力装置部１−６からのデータ表示要求により表示装置部１−７へプラントバス１−２から入力するプロセスデータをリアルタイムに表示する。  
更に画面表示部１−５では、座標入力装置部１−６からの蓄積データ表示要求によりプラントデータ蓄積部１−８から入力する過去のプロセスデータをプラント監視部１−４を介して、表示装置部１−７へ表示する。
【００１７】
次にプラントデータ蓄積部１−８の詳細な処理機能を図２の機能ブロック図を参照して説明する。  
プラントデータ蓄積部１−８は、イベント判定処理１２１と、要求受付処理１２２とデータ検索処理（１２３）及びデータ送信処理（１２４）とから構成される。
【００１８】
プロセス信号部内のプロセス信号入力部１−３は、プラントバス１−２からのプロセス信号Ｓ１を入力し、瞬時データをプラント監視部１−４の入力点データベースへ格納する。  
更に、プロセス信号Ｓ１はプラントデータ蓄積部１−８のイベント判定処理１２１に入力される。
【００１９】
イベント判定処理１２１では、あらかじめ設定されているイベント（プラント操作、警報等）判定を実施し、該当するイベントが発生した場合は長期監視用イベントデータデータベース１２６へ時刻情報を設定する。
【００２０】
この長期監視用イベントデータデータベース１２６の詳細内容を図３に示す。データ項目はイベント種別、イベント名称、発生時刻から構成されており、イベント種別／イベント名称が固定情報として登録され、発生時刻が可変情報として設定される構造となっている。
【００２１】
またプロセスデータについてはイベント種別番号と関連付けて長期監視用プロセスデータデータベース１２５へ設定する。  
この長期監視用プロセスデータデータベース１２５の詳細内容を図４に示す。長期監視用プロセスデータデータベース１２５は、プロセス信号番号、入力時刻、プロセス値、イベント種別から構成されており、いずれも可変情報である。
【００２２】
プロセス信号情報は運転サイクル単位で時系列に蓄積され、イベントが発生した場合はイベントと関連づけて登録される。  
また、イベント判定処理１２１の内容の詳細について図５のフローチャートに示す。イベント判定処理１２１ではプロセス信号を入力処理１５１し、長期監視用イベントデータデータベース１２５に登録されている各種イベント発生のロジック判定処理１５２を実施し、イベント信号を長期監視用イベントデータデータベース１２６に登録処理１５３する。
【００２３】
また、発生イベント時刻付近のプロセスデータにイベント種別情報を付加処理１５４し、その情報を長期監視用プロセスデータデータベース１２５に登録処理１５５する。  
蓄積データの表示については、プラント監視部１−４からのデータ要求を要求受付処理１２２にて受信し、データ検索処理１２３にて要求したデータを長期監視用プロセス／イベントデータデータベースから検索して抽出する。  
その結果はデータ送信処理１２４に入力され、要求元のプラント監視部１−４へ送信される。
【００２４】
このように本実施の形態によれば、プラント制御装置１−１からプラントバス１−２を介して、プロセスデータを入力し、プロセス信号入力部１−３を介してプラントデータ蓄積部１−８にプロセスデータを入力することで、プラント監視部１−４を介して表示装置部１−７に長期間の蓄積データを表示することができる。
【００２５】
以上より明らかなように本実施の形態によるプラント監視システムでは、プラントデータ蓄積部１−８により長期間のデータ蓄積が可能となり、プラント表示装置部へ１サイクル以上過去のプロセスデータを表示すると共にイベント単位でプロセスデータを表示することができる。  
これにより、イベントに対応するプラント状態を断面的に監視することが可能となる。
【００２６】
また、長期に（１サイクル分以上）データを蓄積することにより、プラント起動／停止等の運転操作中でも、前サイクル時のプラント状態と比較しながらの操作が可能となり、各運転フェーズの長期間の傾向監視が可能となる。
【００２７】
次に本発明の第２の実施の形態によるプラント監視システムについて図６の機能ブロック図を参照して説明する。  
なお以下の実施の形態の説明において、前記第1の実施の形態と同一部分には同一の符号を付し、詳細な説明は省略する。
【００２８】
図６において本実施の形態は、前記第１の実施の形態に加え、他装置部とのインターフェース処理が追加されたプラントデータ蓄積部２−１と、プラントデータ蓄積部２−１から長期間データを抽出し、任意にデータ表示、帳票出力、データ保存処理が可能なデータ管理装置部２−２と、画面表示処理、帳票出力処理するデータ管理入出力装置部２−３とから構成される。
【００２９】
このように構成された本実施の形態において、プラントデータ蓄積部２−１は、長期監視用プロセス／イベントデータベースが蓄積されており、プラント監視装置外部からデータを入手し、データ解析等実施するデータ管理装置部２−２からの蓄積データの要求に対して蓄積データをデータ管理装置部２−２に送信する。
【００３０】
蓄積データを受信したデータ管理装置部２−２では、入手したプロセスデータに関する画面／帳票をユーザ指定のフォーマットでデータ管理入出力装置部２−３へ出力する。  
また、入手した蓄積データは外部に持ち出されて編集できないように独自フォーマットで保存される。
【００３１】
プラントデータ蓄積部２−１の詳細な処理内容を図７の機能ブロック図に示す。本実施の形態で追加された機能は、データ管理装置部２−２からの蓄積データの要求を受信するデータアクセス処理２３１及びその結果、蓄積データをデータ管理装置部２−２に送信するデータ送信処理２３２から構成されている。
【００３２】
データアクセス処理２３１では蓄積データの要求があった場合、セキュリティ認証を実施し、認証時のデータ管理装置部２−２のログインユーザ名、ログイン時刻、アクセス時刻等をアクセスログに保存する。
【００３３】
データアクセス処理２２１で認証が完了した場合、長期監視用プロセス／イベントデータデータベースをデータ送信処理２２２にてデータ管理装置部２−２に蓄積データを送信する。
【００３４】
次に、データ管理装置部２−２及びデータ管理入出力装置部２−３の詳細な処理内容を図８のフローチャートに示す。  
データ管理装置部２−２はデータ要求受付処理２３１、データアクセス処理２３２、データ受信処理２３３、データ出力処理２３４から構成されている。
【００３５】
データ管理入出力装置部２−３からの要求信号画面表示、印刷、ファイル保存をデータ要求受付処理２３１にてデータ要求の受付処理を実施し、データアクセス処理２３２へと入力する。データアクセス処理２３２ではプラントデータ蓄積部２−１へ蓄積データの要求を実施する。
【００３６】
プラントデータ蓄積部２−１からの蓄積データはデータ受信処理２３３にて受信する。
尚、受信したデータは一時ファイルとなり、一定時間ユーザ要求がない場合は消去される。受信したデータはデータ出力処理２３４に入力される。
【００３７】
データ表示仕様については、アクセス履歴に保存されたユーザに対応したフォーマットをユーザ定義ファイルから出力フォーマットを抽出してデータ管理入出力装置部２−３に画面表示、帳票出力される。  
また、ファイルの保存はプラントデータ蓄積部２−１に独自ファイル形式にて保存され、外部への持出し時においてもデータの編集を困難とする。
【００３８】
このように本実施の形態によれば、プラントデータ蓄積部２−１へのプラント監視装置外部からのデータアクセスはユーザ管理されているデータ管理装置部２−２から実施する。  
プラントデータ蓄積部２−１へデータアクセスを実施した場合、セキュリティ認証を実施することでプロセスデータのアクセス制限が可能となる。
【００３９】
また、そのアクセス履歴（ユーザ名、アクセス時刻等）を保存することで、セキュリティを確保する。  
更に、データ管理装置部２−２においてはアクセス履歴により、該当ユーザの定義ファイルを読み込み、ユーザの設定したフォーマットでデータ管理入出力装置部２−３にデータ表示／帳票出力することが可能である。
【００４０】
データの保存は専用のソフトウェアでしか読み込めない独自のファイル形式で保存データの編集が困難となる。  
以上より明らかなように本実施の形態によるプラント監視システムでは、プラント監視装置外部へのデータアクセスはアクセス履歴を保存することで一元管理され、データ改竄の抑制につながる。
【００４１】
更に蓄積サーバからデータを抽出し、保存要求した場合でも専用のソフトウェアでしか読み込めない独自のファイル形式で保存することでデータの編集を困難とする。  
これにより、プラントデータ蓄積部に保存されて抽出されたプロセスデータの透明性、信頼性が確保可能である。
【００４２】
また、データの出力についてはアクセス履歴によりあらかじめ定義されたユーザ定義ファイルのフォーマットで出力／保存され、ユーザ単位で監視／抽出したデータが即時に入手可能である。
【００４３】
次に本発明の第３の実施の形態によるプラント監視システムについて図９の機能ブロック図を参照して説明する。  
図９において本実施の形態は、前記第１の実施の形態に加え、イベントが発生した場合に蓄積データの関連情報を付加して、外部へメール通知する処理が追加されたプラントデータ蓄積部３−１と、メール通知文書を蓄積し、該当する外部端末へ転送する外部通知メール蓄積・転送装置部３−２と、転送されたメール通知を受信するための外部端末３−３とから構成される。
【００４４】
この様に構成された本実施の形態において、プラントデータ蓄積部３−１は、イベントを検出し、イベントが発生した場合、関連するプロセス情報をメールに付加して、対象のユーザにメールを送信する。  
外部通知メール蓄積・転送装置部３−２ではメール通知情報を蓄積し、該当する外部端末３−３へ転送する。
【００４５】
プラントデータ蓄積部３−１の詳細な処理内容を図１０の機能ブロック図に示す。  
プラントデータ蓄積部３−１はイベントトリガ検出処理３２１、メール文書作成処理３２２、メール文書送信処理３２３から構成される。
【００４６】
イベントトリガ検出処理３２１はプラントデータ蓄積部に蓄積された長期監視用イベントデータデータベースを検索し、イベントの発生を定期的に監視している。  
メール送信に該当するイベントが発生した場合、メール文書作成処理３２２に通知する。  
メール文書作成処理では長期監視用プロセスデータデータベースから該当する関連プロセス情報を読み込むとともに、該当イベント発生時に送信すべきユーザをメール送信データベースから抽出し、メール文書を作成する。
【００４７】
このメール送信データベースの詳細内容を図１１に示す。  
メール送信データベースは監視Ｇｒ、時刻、メールアドレス、イベント種別から構成される。イベントが発生すると、発生時刻／イベントの種類（重要度により送信先を選定しておく）から送信する監視Ｇｒのメールアドレスを抽出する。抽出されたメールアドレスはメール文書にコピーされ、メール文書が作成される。  
メール文書が作成されると、メール文章送信処理３２３に入力され、外部通知メール蓄積・転送装置部３−２に送信される。
【００４８】
外部通知メール蓄積・転送装置部３−２の詳細な処理内容を図１２に示す。  
外部通知メール蓄積・転送装置部３−２はメール蓄積処理部３４１と、メール転送処理部で構成される。
【００４９】
メール蓄積処理部から送信された通知メールはメール蓄積処理部３４１にてメールデータベースに蓄積処理される。  
メール文書は「メール転送処理部３４２により外部端末の転送要求により、転送処理される。
【００５０】
このように本実施の形態によれば、プラントデータ蓄積部３−１にてイベントを検知し、関連情報とイベントの重要度及び発生時刻により抽出された外部通知の送信先をメール文書に付加し、メール送信することができる。  
そのメールは外部通知メール蓄積・転送装置部３−２で外部端末に転送される。
【００５１】
以上より明らかなように本実施の形態によるプラント監視システムでは、イベント等の発生時には、適切な関係者のメールアドレスを自動抽出して即時に異常を外部通知することが可能であると共に、発生時及び過去の関連プロセス情報を付加することで、プラントを監視している中央制御室と外部関係者との情報共有を図ることができる。
【００５２】
次に本発明の第４の実施の形態によるプラント監視システムについて図１３を参照して説明する。  
図１３において本実施の形態は、前記第１の実施の形態に加え、現場のプロセス量の発生元である現場機器４−１、そのプロセス量を中継処理する現場機器中継装置４−２と、現場の画像情報及び音声情報を抽出する画像処理装置４−３、音声装置４−４と、それらの情報を伝送する現場機器バス４−６と、それらのデータを入力して蓄積するプラントデータ蓄積部４−５から構成される。
【００５３】
この様に構成された本実施の形態において、現場機器４−１に接続された現場機器中継装置４−２、画像処理装置４−３、音声装置４−４は、現場のプロセス信号、画像信号、音声信号を現場機器バス４−６経由でプラントデータ蓄積部４−１に入力する。
【００５４】
プラントデータ蓄積部４−１は、プラント情報と現場機器情報を分類してそれぞれのデータベースに設定する。  
また、これらの情報をデータベースから抽出して複合的に現場機器の状態を判定し、現場機器の動作管理を支援する。
【００５５】
プラントデータ蓄積部４−１の詳細な処理内容を図１４の機能ブロック図に示す。プラントデータ蓄積部４−１は入力情報判定処理４２１、イベント判定処理４２２、データ送信処理４２３で構成される。
【００５６】
現場機器４−１に接続された、現場機器中継装置４−２、画像処理装置４−３、音声装置４−４からの現場機器のそれぞれの情報は、現場機器バス４−６を介して、プラントレベルの情報と共に、プロセス信号部１−３に入力後、プラントデータ蓄積部４−１に入力される。  
プラントデータ蓄積部４−１に入力された信号は入力情報判定処理４２１でプラントレベル、現場機器レベルの情報に分類される。
【００５７】
イベント判定処理４２２では、プラントレベル、現場機器レベル共にあらかじめ設定されているイベント（プラント操作、警報等）判定を実施し、該当するイベントが発生した場合はイベントデータデータベースに登録される。
【００５８】
プロセスデータは関連するイベント情報を付加した後にプロセスデータデータベースに登録される。  
本データベースを用いて、複合的に現場機器の状態を判定した後、現場機器管理支援データベースに登録される。
【００５９】
イベント判定処理４２２の詳細内容については、図１５のフローチャートに示す。  
また、現場機器用イベントデータデータベース，現場機器用プロセスデータデータベースの詳細内容を図１６、図１７に示す。
【００６０】
現場機器用イベントデータデータベースはイベント種別、イベント名称、発生時刻、画像ファイル名称、音声ファイル名称で構成される。  
現場機器レベルのイベント発生を判定処理４３１し、イベントが発生した場合、このデータベースに発生時刻とその時刻の画像ファイル名称、音声ファイル名称が登録処理４３２される。
【００６１】
また、現場機器用プロセスデータデータベースは現場機器プロセス信号番号、時刻、プロセス値、現場機器レベルイベント種別、プラントレベルイベント種別から構成される。現場機器のプロセス情報が登録されると共に、現場機器レベルのイベント情報さらにプラントレベルのイベント情報が付加されて登録される（処理４３３、処理４３４）。
【００６２】
これらのデータベースを用いて複合的に現場機器の動作判定を実施する（処理４３５）。その結果は現場機器管理支援データベースに登録される（処理４３６）。複合判定ロジックの例を図１８に示す。  
複合判定ロジックは、画像、音声、現場プロセス、プラントプロセス情報により構成される。例では補助ポンプの弁の動作状態判定を実施している。
【００６３】
現場の補助ポンプ主要弁の画像情報により、弁の動作状態を解析し、音声情報により弁周辺の振動測定結果により弁の動作状態を解析、更に現場のプロセス値及びプラントレベルの主要ポンプの起動情報等により複合的に現場弁の準備状態を判定し、その結果を現場機器管理支援データベースへ登録する。  
そのデータベースを「データ送信処理（４２３）」では「データ管理装置部（２−２）」に送信され、「データ管理入出力装置部（２−３）」に表示される。
【００６４】
このように本実施の形態によれば、現場機器４−１のデータを現場機器中継装置４−２、画像処理装置４−３、音声装置４−４で現場機器バス４−６に送信し、プラントデータ蓄積部４−１で現場機器レベルのデータベースに登録後、複合的に現場機器の動作状態を判定し、現場機器管理支援データベースへ登録する。その結果をデータ管理装置部２−２に送信することで、現場機器の動作状態の把握を支援することができる。
【００６５】
以上より明らかなように本実施の形態によるプラント監視システムでは、現場機器レベルの情報を集中管理できる共に現場の状況を複合的に把握することができる。  
また、プラントレベルのプロセス関連情報と組み合わせることで、プラントプラントレベル−機器レベル間の長期的な連携監視／記録が可能となる。
【００６６】
次に本発明の第５の実施の形態によるプラント監視装置について図１９の機能ブロック図を参照して説明する。  
本実施の形態においては、プロセス信号の流れ、プラントの監視、画面表示処理は第１の実施の形態とほぼ同様である。
【００６７】
図１９において本実施の形態は、前記第１の実施の形態に加え、公開するデータの作成を支援するプラントデータ蓄積部５−１と、そのデータを変更、確認するデータ管理装置部５−２と、そのデータを公に公開するデータ公開表示装置部５−３から構成される。
【００６８】
この様に構成された本実施の形態において、プラントデータ蓄積部５−１では入力／蓄積されたプロセス情報を元に、公開すべきイベントの発生を検出し、公開用のデータを作成する。  
データ管理装置部５−２ではそのデータを変更／確認することが可能である。データ公開表示装置部５−３はその公開データを表示する。
【００６９】
プラントデータ蓄積部５−１の詳細内容を図２０の機能ブロック図に示す。  
プラントデータ蓄積部５−１は公開イベント発生検出処理５２１、公開データ作成処理５２２、公開データ通知処理５２３、公開データ変更／更新処理５２４、公開データ送信処理５２５から構成される。
【００７０】
イベントデータデータベースから発生イベントを抽出し、公開イベント設定情報から公開レベルのイベント情報であるかどうか判定する。  
公開レベルのイベントである場合、プロセスデータをデータ公開用データベースにコピーし、イベント発生時の情報を公開データ作成処理５２２に入力する。
【００７１】
公開データ作成処理５２２では、そのデータを元に、公開用事例資料を検索し、類似公開データがあればそのデータをテンプレートにして入力されたデータ値を入れて公開データを作成する。また、類似公開データがない場合でもデフォルトのテンプレートを元に公開データを作成する。  
その公開データは公開データ通知処理５２３に入力され、データ管理装置部５−２へ通知される。
【００７２】
データ管理装置部５−２からの変更要求／確認要求は公開データ変更／更新処理５２４にて変更、更新処理されて、公開データ送信処理５２５に入力される。  
公開データ送信処理５２５で、公開用事例資料へ公開データの履歴に登録した後に、データ公開表示装置部５−３に送信され、公開データが更新される。
【００７３】
データ管理装置部５−２の詳細内容を図２１の機能ブロック図に示す。  
データ管理装置部５−２は是変記第３の実施の似形態３の処理に加えて、通知受信処理５３１、データ項目変更／確認処理５３２にて構成される。
【００７４】
プラントデータ蓄積部５−１から公開データ作成通知を受信し、通知受信処理５３１で受信処理後、データ項目変更／確認処理５３２に入力される。  
データ項目変更／確認処理５３２では、データ管理入出力装置部２−３にデータ出力処理２２３にてデータ出力し、データ管理入出力装置部２−３からの要求信号を「データ要求受付処理２２１で処理した後、データ項目変更／確認処理５３２で変更内容、確認内容を処理してデータアクセス処理２２２に入力する。  
データアクセス処理２２２はプラントデータ蓄積部への履歴をアクセスログに保存し、変更内容、確認内容をプラントデータ蓄積部５−１に送信する。
【００７５】
このように本実施の形態によれば、プラントデータ蓄積部５−１で公開レベルのイベントの発生を検出し、過去の公開用事例資料を元に公開用資料を作成する。  
その内容は「データ管理装置部（５−２）」へ送信され、ユーザにより変更、確認処理を実施後、公開データはデータ公開表示装置部５−３に送信され、データ公開される。
【００７６】
以上より明らかなように本実施の形態によるプラント監視システムでは、公開イベントの発生を自動検出し、検出時のデータを元に公表するデータの作成を支援することができる。また、本装置を改造することなく任意に公開データ項目の変更が可能となる。
【図面の簡単な説明】
【００７７】
【図１】本発明の第１の実施の形態によるプラント監視システムを示す機能ブロック図。
【図２】本発明の第１の実施の形態によるプラント監視システムのプラントデータ蓄積部の処理を説明する機能ブロック図。
【図３】本発明の第１の実施の形態によるプラント監視システムの長期監視用イベントデータを説明するための説明図。
【図４】本発明の第１の実施の形態によるプラント監視システムの長期監視用プロセスデータを説明するための説明図。
【図５】本発明の第１の実施の形態によるプラント監視システムのイベント判定処理部の機能を説明するためのフローチャート。
【図６】本発明の第２の実施の形態によるプラント監視システムを示す機能ブロック図。
【図７】本発明の第２の実施の形態によるプラント監視システムのプラントデータ蓄積部の処理を説明する機能ブロック図。
【図８】本発明の第２の実施の形態によるプラント監視システムのデータ管理装置部／データ管理入出力装置部の処理を説明する機能ブロック図。
【図９】本発明の第３の実施の形態によるプラント監視システムを示す機能ブロック図。
【図１０】本発明の第３の実施の形態によるプラント監視システムのプラントデータ蓄積部の処理を説明する機能ブロック図。
【図１１】本発明の第３の実施の形態によるプラント監視システムのメール送信データを説明するための説明図。
【図１２】本発明の第３の実施の形態による外部通知メール蓄積・転送装置部の処理を説明する機能ブロック図。
【図１３】本発明の第４の実施の形態によるプラント監視システムを示す機能ブロック図。
【図１４】本発明の第４の実施の形態によるプラント監視システムのプラントデータ蓄積部の処理を説明する機能ブロック図。
【図１５】本発明の第４の実施の形態によるプラント監視システムのイベント判定処理部の機能を説明するためのフローチャート。
【図１６】本発明の第４の実施の形態によるプラント監視システムの現場機器用イベントデータを説明するための説明図。
【図１７】本発明の第４の実施の形態によるプラント監視システムの現場機器用プロセスデータを説明するための説明図。
【図１８】本発明の第４の実施の形態によるプラント監視システムの複合判定ロジックを説明するための説明図。
【図１９】本発明の第５の実施の形態によるプラント監視システムを示す機能ブロック図。
【図２０】本発明の第５の実施の形態によるプラント監視システムのプラントデータ蓄積部の処理を説明する機能ブロック図。
【図２１】本発明の第５の実施の形態によるプラント監視システムのデータ管理装置部の処理を説明する機能ブロック図。
【図２２】従来のプラント監視システムを示す機能ブロック図。
【図２３】従来のプラント監視システムのプロセス信号部/プラント監視部の処理を説明する機能ブロック図。
【図２４】従来のプラント監視システムの画面表示部の処理を説明する機能ブロック図。
【図２５】従来のプラント監視システムのプラント監視装置の画面を説明する説明図。
【符号の説明】
【００７８】
１−１…プラント制御装置、１−２…プラントバス、１−３…プロセス信号入力部、１−４…プラント監視部、１−５…画面表示部、１−６…座標入力装置部、１−７…表示装置部、１−８…プラントデータ蓄積部、２−１…プラントデータ蓄積部、２−２…データ管理装置部、２−３…データ管理入出力装置部、３−１…プラントデータ蓄積部、３−２…メール蓄積・転送装置部、３−３…外部端末、４−１…現場機器、４−２…現場機器中継装置、４−３…画像処理、４−４…音声装置、４−５…プラントデータ蓄積部、４−６…現場機器バス、５−１…プラントデータ蓄積部、５−２…データ管理装置部、５−３…データ公開表示装置部、６−１…プラント制御装置、６−２…プラントバス、６−３…プロセス信号部、６−４…プラント監視部、６−５…画面表示部、６−６…座標入力装置部、６−７…表示装置部。
【図１】
2007233567.tif 000003
【図２】
2007233567.tif 000004
【図３】
2007233567.tif 000005
【図４】
2007233567.tif 000006
【図５】
2007233567.tif 000007
【図６】
2007233567.tif 000008
【図７】
2007233567.tif 000009
【図８】
2007233567.tif 000010
【図９】
2007233567.tif 000011
【図１０】
2007233567.tif 000012
【図１１】
2007233567.tif 000013
【図１２】
2007233567.tif 000014
【図１３】
2007233567.tif 000015
【図１４】
2007233567.tif 000016
【図１５】
2007233567.tif 000017
【図１６】
2007233567.tif 000018
【図１７】
2007233567.tif 000019
【図１８】
2007233567.tif 000020
【図１９】
2007233567.tif 000021
【図２０】
2007233567.tif 000022
【図２１】
2007233567.tif 000023
【図２２】
2007233567.tif 000024
【図２３】
2007233567.tif 000025
【図２４】
2007233567.tif 000026
【図２５】
2007233567.tif 000027